(57)【要約】【課題】映像の輝度向上を図りながら、映像のコントラストの向上を図ることを可能とする投写型映像表示装置を提供する。【解決手段】固体光源１０が発する光を液晶パネル４０上において所定の走査列に沿って走査する投写型映像表示装置１００が、入力映像信号に応じて液晶パネル４０の変調量を制御するγ補正部２６０と、入力映像信号に応じて基準出力を定めて、基準出力に応じて固体光源１０の出力を制御するパワー制御部２５０とを備える。【選択図】図４
2008116914.tif 000002
【特許請求の範囲】
【請求項１】
固体光源と光変調素子とを有しており、前記固体光源が発する光を前記光変調素子上において所定の走査列に沿って走査する投写型映像表示装置であって、
前記投写型映像表示装置に入力される映像信号である入力映像信号に応じて、前記光変調素子の変調量を制御する変調量制御部と、
前記入力映像信号に応じて基準出力を定めて、前記基準出力に従って前記固体光源の出力を制御する出力制御部とを備えることを特徴とする投写型映像表示装置。
【請求項２】
前記入力映像信号を積算して、前記所定の走査列に対応する積算値を算出する積算部と、
前記積算部によって算出された前記積算値に基づいて、前記基準出力に乗算される輝度向上係数を算出する算出部とをさらに備え、
前記出力制御部は、前記基準出力に前記輝度向上係数を乗算した値に従って、前記固体光源の出力を制御することを特徴とする請求項１に記載の投写型映像表示装置。
【請求項３】
前記所定の走査列は、複数の所定の走査列によって構成されており、
前記積算部は、前記複数の所定の走査列毎に前記積算値を算出し、
前記算出部は、前記複数の所定の走査列毎に算出された前記積算値に基づいて代表値を特定し、前記代表値に基づいて前記輝度向上係数を算出することを特徴とする請求項２に記載の投写型映像表示装置。
【請求項４】
前記入力映像信号に逆γ補正処理を施す逆γ補正部をさらに備え、
前記積算部は、前記逆γ補正処理が施された前記入力映像信号を積算して、前記積算値を算出することを特徴とする請求項２に記載の投写型映像表示装置。
【請求項５】
前記逆γ補正処理が施された前記入力映像信号に前記輝度向上係数に応じてγ補正処理を施すγ補正部をさらに備え、
前記変調量制御部は、前記γ補正処理が施された前記入力映像信号に応じて、前記光変調素子の変調量を制御することを特徴とする請求項４に記載の投写型映像表示装置。
【請求項６】
前記γ補正部は、前記輝度向上係数が大きい場合に、前記輝度向上係数が小さい場合よりも映像の輝度が低くなるように前記γ補正処理を施すことを特徴とする請求項５に記載の投写型映像表示装置。
【請求項７】
前記入力映像信号を積算して、前記光変調素子全体に対応する積算値を算出する積算部と、
前記積算部によって算出された前記積算値に基づいて、前記基準出力に乗算される輝度向上係数を算出する算出部とをさらに備え、
前記出力制御部は、前記基準出力に前記輝度向上係数を乗算した値に従って、前記固体光源の出力を制御することを特徴とする請求項１に記載の投写型映像表示装置。
【請求項８】
前記光変調素子の光変調面は、複数の分割領域によって構成されており、
前記入力映像信号を積算して、前記複数の分割領域のそれぞれに対応する積算値を算出する積算部と、
前記積算部によって算出された前記積算値に基づいて、前記基準出力に乗算される輝度向上係数を前記複数の分割領域毎に算出する算出部とをさらに備え、
前記出力制御部は、前記基準出力に前記輝度向上係数を乗算した値に従って、前記固体光源の出力を制御することを特徴とする請求項１に記載の投写型映像表示装置。
【請求項９】
前記光変調素子の光変調面は、複数の単位領域によって構成されており、
前記出力制御部は、前記複数の単位領域毎に前記固体光源の出力を制御可能に構成されており、
前記算出部は、前記複数の単位領域のうち、一の単位領域と前記一の単位領域に隣接する他の単位領域との間において、前記輝度向上係数の差分を減少させるように、前記輝度向上係数を補正することを特徴とする請求項８に記載の投写型映像表示装置。
【請求項１０】
前記入力映像信号は、複数のフレームに対応する信号であり、
前記出力制御部は、前記複数のフレーム毎に前記固体光源の出力を制御可能に構成されており、
前記算出部は、前記複数のフレームのうち、一のフレームと前記一のフレームに連続する他のフレームとの間において、前記輝度向上係数の差分を減少させるように、前記輝度向上係数を補正することを特徴とする請求項１に記載の投写型映像表示装置。
【発明の詳細な説明】
【技術分野】
【０００１】
本発明は、固体光源と光変調素子とを有しており、前記固体光源が発する光を前記光変調素子上において所定の走査列に沿って走査する投写型映像表示装置に関する。
【背景技術】
【０００２】
従来、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの固体光源が発する光を光変調素子に照射することによって、スクリーン上に映像を表示する投写型映像表示装置が知られている。なお、固体光源がパルスレーザである場合において、パルスレーザの発振周期と光変調素子の変調周期とを同期させる技術も提案されている（例えば、特許文献１）。
【０００３】
投写型映像表示装置は、固体光源が発する光のスポットを光変調素子上において所定の走査列に沿って走査することによって、スクリーン上に映像を表示する。光変調素子は、固体光源が発する光を変調して、スクリーン上に投写される光の光量を制御する。固体光源の出力（すなわち、固体光源に印加される電圧）は一定であることが一般的である。
【特許文献１】特開平１１−３０５７１０号公報（請求項２、〔００１８〕、図１など）
【発明の開示】
【発明が解決しようとする課題】
【０００４】
ここで、投写型映像表示装置では、スクリーン上に表示される映像の輝度向上が望まれている。一方で、投写型映像表示装置では、固体光源の出力（すなわち、固体光源に印加される電圧）が一定であると、周辺照明の影響などによってスクリーン上に表示される映像の輝度が低い場合に、映像のコントラストが低下する場合がある。
【０００５】
そこで、本発明は、上述した課題を解決するためになされたものであり、映像の輝度向上を図りながら、映像のコントラストの向上を図ることを可能とする投写型映像表示装置を提供することを目的とする。
【課題を解決するための手段】
【０００６】
本発明の一の特徴は、固体光源（固体光源１０）と光変調素子（液晶パネル４０）とを有しており、前記固体光源が発する光を前記光変調素子上において所定の走査列に沿って走査する投写型映像表示装置が、前記投写型映像表示装置に入力される映像信号である入力映像信号に応じて、前記光変調素子の変調量を制御する変調量制御部（γ補正部２６０）と、前記入力映像信号に応じて基準出力を定めて、前記基準出力に従って前記固体光源の出力を制御する出力制御部（パワー制御部２５０）とを備えることを要旨とする。
【０００７】
かかる特徴によれば、出力制御部が、入力映像信号に応じて基準出力を定めて、基準出力に従って固体光源の出力を制御する。従って、映像の輝度が低い場合に固体光源の出力を減少して、映像のコントラストを向上し、映像の輝度が高い場合に固体光源の出力を増大して、映像の輝度を向上することができる。
【０００８】
本発明の一の特徴は、上述した一の特徴において、前記入力映像信号を積算して、前記所定の走査列に対応する積算値を算出する積算部（積算部２３０）と、前記積算部によって算出された前記積算値に基づいて、前記基準出力に乗算される輝度向上係数を算出する算出部（係数算出部２４０）とを投写型映像表示装置がさらに備え、前記出力制御部が、前記基準出力に前記輝度向上係数を乗算した値に従って、前記固体光源の出力を制御することを要旨とする。
【０００９】
本発明の一の特徴は、上述した一の特徴において、前記所定の走査列が、複数の所定の走査列（走査列Ｌ１〜走査列Ｌｎ）によって構成されており、前記積算部が、前記複数の所定の走査列毎に前記積算値を算出し、前記算出部が、前記複数の所定の走査列毎に算出された前記積算値に基づいて代表値を特定し、前記代表値に基づいて前記輝度向上係数を算出することを要旨とする。
【００１０】
本発明の一の特徴は、上述した一の特徴において、前記入力映像信号に逆γ補正処理を施す逆γ補正部（逆γ補正部２２０）を投写型映像表示装置がさらに備え、前記積算部が、前記逆γ補正処理が施された前記入力映像信号を積算して、前記積算値を算出することを要旨とする。
【００１１】
本発明の一の特徴は、上述した一の特徴において、前記逆γ補正処理が施された前記入力映像信号に前記輝度向上係数に応じてγ補正処理を施すγ補正部（γ補正部２６０）を投写型映像表示装置がさらに備え、前記変調量制御部が、前記γ補正処理が施された前記入力映像信号に応じて、前記光変調素子の変調量を制御することを要旨とする。
【００１２】
本発明の一の特徴は、上述した一の特徴において、前記γ補正部が、前記輝度向上係数が大きい場合に、前記輝度向上係数が小さい場合よりも映像の輝度が低くなるように前記γ補正処理を施すことを要旨とする。
【００１３】
本発明の一の特徴は、上述した一の特徴において、投写型映像表示装置は、前記入力映像信号を積算して、前記光変調素子全体に対応する積算値を算出する積算部と、前記積算部によって算出された前記積算値に基づいて、前記基準出力に乗算される輝度向上係数を算出する算出部とをさらに備え、前記出力制御部は、前記基準出力に前記輝度向上係数を乗算した値に従って、前記固体光源の出力を制御することを要旨とする。
【００１４】
本発明の一の特徴は、上述した一の特徴において、前記光変調素子の光変調面が、複数の分割領域によって構成されており、投写型映像表示装置は、前記入力映像信号を積算して、前記複数の分割領域のそれぞれに対応する積算値を算出する積算部と、前記積算部によって算出された前記積算値に基づいて、前記基準出力に乗算される輝度向上係数を前記複数の分割領域毎に算出する算出部とをさらに備え、前記出力制御部は、前記基準出力に前記輝度向上係数を乗算した値に従って、前記固体光源の出力を制御することを要旨とする。
【００１５】
本発明の一の特徴は、上述した一の特徴において、前記光変調素子の光変調面が、複数の単位領域によって構成されており、前記出力制御部が、前記複数の単位領域毎に前記固体光源の出力を制御可能に構成されており、前記算出部が、前記複数の単位領域のうち、一の単位領域と前記一の単位領域に隣接する他の単位領域との間において、前記輝度向上係数の差分を減少させるように、前記輝度向上係数を補正することを要旨とする。
【００１６】
本発明の一の特徴は、上述した一の特徴において、前記入力映像信号が、複数のフレームに対応する信号であり、前記出力制御部が、前記複数のフレーム毎に前記固体光源の出力を制御可能に構成されており、前記算出部が、前記複数のフレームのうち、一のフレームと前記一のフレームに連続する他のフレームとの間において、前記輝度向上係数の差分を減少させるように、前記輝度向上係数を補正することを要旨とする。
【発明の効果】
【００１７】
本発明によれば、映像の輝度向上を図りながら、映像のコントラストの向上を図ることを可能とする投写型映像表示装置を提供することができる。
【発明を実施するための最良の形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（投写型映像表示装置の概略）
以下において、第１実施形態に係る投写型映像表示装置の概略について、図面を参照しながら説明する。図１は、第１実施形態に係る投写型映像表示装置１００の概略を示す図である。
【００２１】
図１に示すように、投写型映像表示装置１００は、投写レンズユニット１１０を有しており、投写レンズユニット１１０によって拡大された映像光をスクリーン２００上に投写する。投写型映像表示装置１００は、ＬＥＤ（Ｌｉｇｔｈ  Ｅｍｉｔｔｉｎｇ  Ｄｉｏｄｅ）やＬＤ（Ｌａｓｅｒ  Ｄｉｏｄｅ）などの個体光源を光源として有する。
【００２２】
（照明ユニットの概略構成）
以下において、第１実施形態に係る照明ユニットの概略構成について、図面を参照しながら説明する。図２は、第１実施形態に係る照明ユニット１２０の概略構成を示す図である。
【００２３】
図２に示すように、照明ユニット１２０は、複数の固体光源１０（固体光源１０Ｒ、固体光源１０Ｇ及び固体光源１０Ｂ）と、複数のミラー（ミラー２１〜ミラー２６）と、複数のレンズ（レンズ３１〜レンズ３６）と、複数の液晶パネル４０（液晶パネル４０Ｒ、液晶パネル４０Ｇ及び液晶パネル４０Ｂ）と、クロスダイクロイックキューブ５０とを有する。
【００２４】
固体光源１０Ｒは、赤成分光を発するＬＥＤやＬＤなどの固体光源である。固体光源１０Ｒは指向性を有しており、固体光源１０Ｒが発する赤成分光はスポット光である。同様に、固体光源１０Ｇ及び固体光源１０Ｂは、緑成分光及び青成分光を発するＬＥＤやＬＤなどの固体光源である。固体光源１０Ｇ及び固体光源１０Ｂは指向性を有しており、固体光源１０Ｇ及び固体光源１０Ｂが発する緑成分光及び青成分光はスポット光である。なお、各固体光源が発するスポット光の形状は、特殊レンズなどによってライン形状（長方形）に調節されてもよいことに留意すべきである。
【００２５】
ミラー２１は、各固体光源１０が発する光を反射する反射ミラーである。ミラー２２は、青成分光を透過して、赤成分光及び緑成分光を反射するダイクロイックミラーである。ミラー２３は、青成分光を液晶パネル４０Ｂ側に反射する反射ミラーである。ミラー２４は、赤成分光を透過して、緑成分光を液晶パネル４０Ｇ側に反射するダイクロイックミラーである。ミラー２５及びミラー２６は、赤成分光を反射して液晶パネル４０Ｒ側に導く反射ミラーである。
【００２６】
レンズ３１〜レンズ３６は、各固体光源１０が発する光を各液晶パネル４０に集光する。ここで、レンズ３２及びレンズ３３は、緑成分光及び青成分光の光路長と赤成分光の光路長との違いを調整するために設けられたリレーレンズである。
【００２７】
液晶パネル４０Ｒは、赤入力信号Ｒｉｎに応じて固体光源１０Ｒが発する赤成分光を変調して、スクリーン２００上に投写される赤成分光の光量を制御する光変調素子である。同様に、液晶パネル４０Ｇ及び液晶パネル４０Ｂは、緑入力信号Ｇｉｎ及び青入力信号Ｂｉｎに応じて固体光源１０Ｇ及び固体光源１０Ｂが発する緑成分光及び青成分光を変調して、スクリーン２００上に投写される緑成分光及び青成分光の光量を制御する光変調素子である。
【００２８】
ここで、各固体光源１０が発するスポット光は、各光変調素子上において所定の走査列（水平方向列及び垂直方向列）に沿って走査されることに留意すべきである（図３を参照）。
【００２９】
クロスダイクロイックキューブ５０は、液晶パネル４０Ｒ、液晶パネル４０Ｇ及び液晶パネル４０Ｂから出射された赤成分光、緑成分光及び青成分光を合成する。具体的には、クロスダイクロイックキューブ５０は、赤成分光を投写レンズユニット１１０側に反射して、緑成分光を投写レンズユニット１１０側に透過するミラー面５１ａと、青成分光を投写レンズユニット１１０側に反射して、緑成分光を投写レンズユニット１１０側に透過するミラー面５１ｂとを有する。
【００３０】
（固体光源が発する光の走査方法）
以下において、第１実施形態に係る固体光源１０が発する光の走査方法について、図面を参照しながら説明する。図３（ａ）は、水平スキャンを示すイメージ図であり、図３（ｂ）は、垂直スキャンを示すイメージ図である。
【００３１】
図３（ａ）に示すように、水平スキャンでは、固体光源１０は、複数の発光素子（発光素子Ｄ１〜発光素子Ｄｎ）が垂直方向に配列されたアレイ状の構成を有する。液晶パネル４０は、入力映像信号（赤入力信号Ｒｉｎ、緑入力信号Ｇｉｎ及び青入力信号Ｂｉｎ）によって光量が制御される単位である画素が水平方向及び垂直方向に配列された構成を有する。
【００３２】
ここで、各発光素子が発するスポット光は、水平方向の列である走査列（走査列Ｌ１〜走査列Ｌｎ）に沿って走査される。例えば、発光素子Ｄ１が発するスポット光は、走査列Ｌ１に沿って走査され、発光素子Ｄｎが発するスポット光は、走査列Ｌｎに沿って走査される。
【００３３】
一方で、図３（ｂ）に示すように、垂直スキャンでは、固体光源１０は、複数の発光素子（発光素子Ｄ１〜発光素子Ｄｎ）が水平方向に配列されたアレイ状の構成を有する。液晶パネル４０は、入力映像信号（赤入力信号Ｒｉｎ、緑入力信号Ｇｉｎ及び青入力信号Ｂｉｎ）によって光量が制御される単位である画素が水平方向及び垂直方向に配列された構成を有する。
【００３４】
ここで、各発光素子が発するスポット光は、垂直方向の列である走査列（走査列Ｌ１〜走査列Ｌｎ）に沿って走査される。例えば、発光素子Ｄ１が発するスポット光は、走査列Ｌ１に沿って走査され、発光素子Ｄｎが発するスポット光は、走査列Ｌｎに沿って走査される。
【００３５】
（制御ユニットの構成）
以下において、第１実施形態に係る投写型映像表示装置に設けられた制御ユニットの構成について、図面を参照しながら説明する。図４は、第１実施形態に係る制御ユニット１５０の構成を示すブロック図である。
【００３６】
図４に示すように、制御ユニット１５０は、信号受付部２１０と、逆γ補正部２２０と、積算部２３０と、係数算出部２４０と、パワー制御部２５０と、γ補正部２６０とを有する。
【００３７】
信号受付部２１０は、赤入力信号Ｒｉｎ、緑入力信号Ｇｉｎ及び青入力信号Ｂｉｎを入力映像信号として受付ける。入力映像信号は、液晶パネル４０に印加される電圧と液晶パネル４０から出力される出力との関係に応じて調整されている。
【００３８】
逆γ補正部２２０は、入力映像信号（赤入力信号Ｒｉｎ、緑入力信号Ｇｉｎ及び青入力信号Ｂｉｎ）に逆γ補正処理を施す。逆γ補正処理は、入力映像信号と入力映像信号に応じて定まる輝度とが線形性を有するように、入力映像信号を補正する処理である。逆γ補正部２２０は、逆γ補正処理が施された入力映像信号（赤入力信号Ｒ１、緑入力信号Ｇ１及び青入力信号Ｂ１）を積算部２３０に入力する。
【００３９】
積算部２３０は、逆γ補正処理が施された入力映像信号（赤入力信号Ｒ１、緑入力信号Ｇ１及び青入力信号Ｂ１）を走査列毎に積算して、各走査列に対応する積算値（積算値ＡＲ、積算値ＡＧ及び積算値ＡＢ）を算出する。なお、固体光源１０の出力最大値は、固体光源１０の耐久性や省エネルギー化の観点から、固体光源１０に印加可能な電圧に応じて定められた値であることに留意すべきである。
【００４０】
係数算出部２４０は、各走査列に対応する積算値（積算値ＡＲ、積算値ＡＧ及び積算値ＡＢ）に基づいて、各固体光源１０に対応する輝度向上係数（輝度向上係数ＣＲ、輝度向上係数ＣＧ、輝度向上係数ＣＢ）を算出する。具体的には、係数算出部２４０は、各走査列に対応する積算値の中から代表値を特定し、特定した代表値に基づいて各固体光源１０に対応する輝度向上係数を算出する。なお、代表値は、走査列Ｌ１〜走査列Ｌｎに対応する積算値のうち、最も値が大きい積算値であってもよく、走査列Ｌ１〜走査列Ｌｎに対応する積算値の平均値であってもよい。
【００４１】
輝度向上係数（輝度向上係数ＣＲ、輝度向上係数ＣＧ及び輝度向上係数ＣＢ）は、各固体光源１０に含まれる複数の発光素子（発光素子Ｄ１〜発光素子Ｄｎ）に共通することが好ましい。これによって、複数の発光素子毎に輝度向上係数が異なることに起因して、映像の輝度が走査列毎にばらつくことが抑制される。
【００４２】
なお、各走査列に対応する積算値（積算値ＡＲ、積算値ＡＧ及び積算値ＡＢ）が小さければ小さいほど、輝度向上係数（輝度向上係数ＣＲ、輝度向上係数ＣＧ及び輝度向上係数ＣＢ）を大きくすることが可能であることに留意すべきである。
【００４３】
ここで、係数算出部２４０は、所定の観測期間においてパワー制御部２５０によって制御された固体光源１０の出力の積算値が固体光源１０の出力最大値の積算値を超えない範囲で、輝度向上係数を算出することに留意すべきである。
【００４４】
パワー制御部２５０は、入力映像信号（赤入力信号Ｒｉｎ、緑入力信号Ｇｉｎ及び青入力信号Ｂｉｎ）に応じて定められる基準出力に従って、各固体光源１０の出力を制御する。具体的には、パワー制御部２５０は、固体光源１０毎に定められた基準出力に輝度向上係数（輝度向上係数ＣＲ、輝度向上係数ＣＧ及び輝度向上係数ＣＢ）を乗算した値（ＰＷＲ、ＰＷＧ及びＰＷＢ）に従って、各固体光源１０の出力を制御する。なお、基準出力は、固体光源１０の出力を制御する周期（以下、出力制御周期）における入力映像信号の平均値、最大値又は最小値などに応じて定められる。
【００４５】
γ補正部２６０は、逆γ補正処理が施された入力映像信号（赤入力信号Ｒ１、緑入力信号Ｇ１及び青入力信号Ｂ１）にγ補正処理を施して、γ補正処理が施された映像信号である出力映像信号（赤出力信号Ｒｏｕｔ、緑出力信号Ｇｏｕｔ及び青出力信号Ｂｏｕｔ）を各液晶パネル４０に入力する。γ補正処理は、逆γ補正処理が施された入力映像信号（所望光量）と出力映像信号（液晶パネル４０に印加される電圧）との関係に応じて、逆γ補正処理が施された入力映像信号を補正する処理である。
【００４６】
ここで、γ補正部２６０は、γ補正処理で用いる補正量を輝度向上係数に応じて変更する。具体的には、γ補正部２６０は、図５に示すように、輝度向上係数が大きいケースでは、映像の輝度が高である場合に補正量Ａｌａｒｇｅを用い、映像の輝度が中である場合に補正量Ｂｌａｒｇｅを用い、映像の輝度が低である場合に補正量Ｃｌａｒｇｅを用いる。一方、γ補正部２６０は、輝度向上係数が小さいケースでは、映像の輝度が高である場合に補正量Ａｓｍａｌｌを用い、映像の輝度が中である場合に補正量Ｂｓｍａｌｌを用い、映像の輝度が低である場合に補正量Ｃｓｍａｌｌを用いる。
【００４７】
補正量Ａｌａｒｇｅ、補正量Ｂｌａｒｇｅ及び補正量Ｃｌａｒｇｅの関係は、Ａｌａｒｇｅ＞Ｂｌａｒｇｅ＞Ｃｌａｒｇｅであり、補正量Ａｓｍａｌｌ、補正量Ｂｓｍａｌｌ及び補正量Ｃｓｍａｌｌの関係は、Ａｓｍａｌｌ＞Ｂｓｍａｌｌ＞Ｃｓｍａｌｌである。補正量Ａｌａｒｇｅ及び補正量Ａｓｍａｌｌの関係は、Ａｌａｒｇｅ≒Ａｓｍａｌｌであり、補正量Ｂｌａｒｇｅ及び補正量Ｂｓｍａｌｌの関係は、Ｂｌａｒｇｅ＜Ｂｓｍａｌｌであり、補正量Ｃｌａｒｇｅ及び補正量Ｃｓｍａｌｌの関係は、Ｃｌａｒｇｅ＜Ｃｓｍａｌｌである。なお、Ｃｓｍａｌｌ−Ｃｌａｒｇｅの値は、Ｂｓｍａｌｌ−Ｂｌａｒｇｅの値よりも大きい。
【００４８】
このように、γ補正処理で用いる補正量は、輝度向上係数が大きい場合には、輝度向上係数が小さい場合よりも、映像の輝度が低くなるように定められる。特に、映像の輝度が低いケースでは、γ補正処理で用いる補正量は、輝度向上係数が大きい場合には、輝度向上係数が小さい場合よりも、映像の輝度が低くなるように定められる。
【００４９】
（固体光源１０の出力制御の一例）
以下において、第１実施形態に係る固体光源１０の出力制御の一例について、図面を参照しながら説明する。図６は、第１実施形態に係る固体光源１０の出力制御の一例を示す図である。なお、図６では、走査列の左側及び右側の輝度が走査列の中央の輝度よりも低い場合を例に挙げて説明する。なお、固体光源１０の出力を制御する周期（出力制御周期）は、１フレームを３等分した周期である。
【００５０】
図６（ａ）に示すように、投写型映像表示装置１００は、逆γ補正処理が施された入力映像信号を走査列毎に積算して、各走査列に対応する積算値を算出する。続いて、投写型映像表示装置１００は、積算値に基づいて輝度向上係数を算出する。
【００５１】
図６（ｂ）に示すように、投写型映像表示装置１００は、入力映像信号に応じて定められる基準出力に輝度向上係数を乗算した値を固体光源１０の出力とする。すなわち、固体光源１０の出力は、基準出力と追加出力とを合算した出力となる。
【００５２】
このように、走査列の中央では、基準出力に輝度向上係数を乗算した値が固体光源１０の出力最大値を超えているが、走査列の左側及び右側では、基準出力に輝度向上係数を乗算した値が固体光源１０の出力最大値を超えていない。また、所定の観測期間（ここでは、１フレーム）では、基準出力に輝度向上係数を乗算した値の積算値が固体光源１０の出力最大値の積算値を超えていない。
【００５３】
なお、図６では、各出力制御周期に対応する輝度向上係数は一律であるが、これに限定されるものではない。具体的には、各出力制御周期に対応する輝度向上係数は、出力制御周期の平均輝度に応じて変更されてもよい。例えば、平均輝度が高い中央の出力制御周期に対応する輝度向上係数は、平均輝度が低い左側及び右側の出力制御周期に対応する輝度向上係数よりも大きくてもよい。平均輝度が低い左側及び右側の出力制御周期に対応する輝度向上係数は１であってもよい（すなわち、基準出力を変更しなくてもよい）。
【００５４】
（投写型映像表示装置１００の動作）
以下において、第１実施形態に係る投写型映像表示装置１００の動作について、図面を参照しながら説明する。図７は、第１実施形態に係る投写型映像表示装置１００の動作を示すフロー図である。
【００５５】
図７に示すように、ステップ１０において、投写型映像表示装置１００は、赤入力信号Ｒｉｎ、緑入力信号Ｇｉｎ及び青入力信号Ｂｉｎを入力映像信号として受付ける。
【００５６】
ステップ２０において、投写型映像表示装置１００は、入力映像信号（赤入力信号Ｒｉｎ、緑入力信号Ｇｉｎ及び青入力信号Ｂｉｎ）に逆γ補正処理を施して、入力映像信号と入力映像信号に応じて定まる輝度とが線形性を有するように入力映像信号を補正する。
【００５７】
ステップ３０において、投写型映像表示装置１００は、逆γ補正処理が施された入力映像信号（赤入力信号Ｒ１、緑入力信号Ｇ１及び青入力信号Ｂ１）を走査列毎に積算して、各走査列に対応する積算値（積算値ＡＲ、積算値ＡＧ及び積算値ＡＢ）を算出する。
【００５８】
ステップ４０において、投写型映像表示装置１００は、各走査列に対応する積算値（積算値ＡＲ、積算値ＡＧ及び積算値ＡＢ）に基づいて、各固体光源１０に対応する輝度向上係数（輝度向上係数ＣＲ、輝度向上係数ＣＧ及び輝度向上係数ＣＢ）を算出する。
【００５９】
ステップ５０において、投写型映像表示装置１００は、γ補正処理で用いるγ値を輝度向上係数に応じて変更した上で、逆γ補正処理が施された入力映像信号（赤入力信号Ｒ１、緑入力信号Ｇ１及び青入力信号Ｂ１）にγ補正処理を施す。
【００６０】
ステップ６０において、投写型映像表示装置１００は、γ補正処理が施された出力映像信号（赤出力信号Ｒｏｕｔ、緑出力信号Ｇｏｕｔ及び青出力信号Ｂｏｕｔ）に応じて、各固体光源１０が発する光を変調する。
【００６１】
ステップ７０において、投写型映像表示装置１００は、固体光源１０毎に定められた基準出力に輝度向上係数（輝度向上係数ＣＲ、輝度向上係数ＣＧ及び輝度向上係数ＣＢ）を乗算した値（ＰＷＲ、ＰＷＧ及びＰＷＢ）に従って、各固体光源１０の出力を制御する。
【００６２】
なお、ステップ６０及びステップ７０の処理が同期して行われることは勿論である。ステップ６０及びステップ７０の処理を同期させるために、１フレームに対応する映像信号を蓄積可能なフレームバッファを用いてもよい。
【００６３】
（作用及び効果）
第１実施形態に係る投写型映像表示装置１００によれば、パワー制御部２５０が、入力映像信号に応じて基準出力を定めて、基準出力に従って固体光源１０の出力を制御する。従って、映像の輝度が低い場合に固体光源１０の出力を減少して、映像のコントラストを向上し、映像の輝度が高い場合に固体光源１０の出力を増大して、映像の輝度を向上することができる。
【００６４】
第１実施形態に係る投写型映像表示装置１００によれば、パワー制御部２５０が、入力映像信号に応じて定められる基準出力に応じて固体光源１０の出力を制御するため、必要な光量を保ちながら固体光源１０の出力が抑制される。
【００６５】
係数算出部２４０が、入力映像信号の積算値に基づいて輝度向上係数を算出し、パワー制御部２５０が、基準出力に輝度向上係数を乗算した値に従って、固体光源１０の出力を制御する。これによって、固体光源の出力の抑制によって生じた固体光源１０の余力を映像の輝度向上のために効率的に用いることができる。
【００６６】
係数算出部２４０が、所定の観測時間において固体光源１０の出力の積算値が固体光源の出力最大値の積算値を超えない範囲で輝度向上係数を算出するため、固体光源１０の出力が固体光源１０の出力最大値を単位時間において瞬間的に超えることがあっても、所定の観測時間において固体光源１０の出力が固体光源１０の出力最大値を超えない。
【００６７】
このように、所定の観測時間における固体光源１０の出力を一定値内に保ちながら、映像の輝度を効率的に向上することができる。
【００６８】
第１実施形態に係る投写型映像表示装置１００によれば、係数算出部２４０が、各走査列に対応する積算値の中から代表値を特定し、特定した代表値に基づいて各固体光源１０に対応する輝度向上係数を算出する。従って、固体光源１０に含まれる複数の発光素子毎に輝度向上係数が異なることに起因して、映像の輝度が走査列毎にばらつくことが抑制される。
【００６９】
第１実施形態に係る投写型映像表示装置１００によれば、係数算出部２４０が、逆γ補正処理が施された入力映像信号（赤入力信号Ｒ１、緑入力信号Ｇ１及び青入力信号Ｂ１）の積算値に基づいて輝度向上係数を算出する。すなわち、係数算出部２４０が、入力映像信号と入力映像信号に応じて定まる輝度とが線形性を有するように入力映像信号が補正されてから輝度向上係数を算出するため、輝度向上係数の算出精度が高まる。
【００７０】
［第２実施形態］
以下において、第２実施形態について図面を参照しながら説明する。以下においては、上述した第１実施形態と第２実施形態との相違点について主として説明する。
【００７１】
具体的には、上述した第１実施形態では、各走査列に対応する積算値（積算値ＡＲ、積算値ＡＧ及び積算値ＡＢ）は、１フレームに対応する積算値である（図６を参照）。
【００７２】
これに対して、第２実施形態では、各走査列に対応する積算値（積算値ＡＲ、積算値ＡＧ及び積算値ＡＢ）は、複数のフレーム（例えば、２フレーム）に対応する積算値である。
【００７３】
（固体光源１０の出力制御の一例）
以下において、第２実施形態に係る固体光源１０の出力制御の一例について、図面を参照しながら説明する。図８は、第２実施形態に係る固体光源１０の出力制御の一例を示す図である。なお、図８では、フレーム１における走査列の左側及び右側の輝度が走査列の中央の輝度よりも低く、フレーム２における走査列の輝度がフレーム１における走査列の輝度よりも低い場合を例に挙げて説明する。
【００７４】
図８（ａ）に示すように、投写型映像表示装置１００は、逆γ補正処理が施された入力映像信号を複数のフレームに亘って積算して、走査列に対応する積算値を算出する。続いて、投写型映像表示装置１００は、複数のフレームに対応する積算値に基づいて輝度向上係数を算出する。
【００７５】
図８（ｂ）に示すように、投写型映像表示装置１００は、入力映像信号に応じて定められる基準出力に輝度向上係数を乗算した値を固体光源１０の出力とする。すなわち、固体光源１０の出力は、基準出力と追加出力とを合算した出力となる。
【００７６】
このように、フレーム１における走査列の左側、中央及び右側では、図６（ｂ）に示した場合に比べて固体光源１０の出力が大きいが、所定の観測期間（ここでは、２フレーム）において基準出力に輝度向上係数を乗算した値の積算値が固体光源１０の出力最大値の積算値を超えていない。
【００７７】
なお、図８では、各フレームに対応する輝度向上係数は一律であるが、これに限定されるものではない。具体的には、各フレームに対応する輝度向上係数は、各フレームの平均輝度に応じて変更されてもよい。例えば、平均輝度が高いフレーム１に対応する輝度向上係数は、平均輝度が低いフレーム２に対応する輝度向上係数よりも大きくてもよい。平均輝度が低いフレーム２に対応する輝度向上係数は１であってもよい（すなわち、基準出力を変更しなくてもよい）。
【００７８】
［第３実施形態］
以下において、第３実施形態について図面を参照しながら説明する。以下においては、上述した第１実施形態と第３実施形態との相違点について主として説明する。
【００７９】
具体的には、上述した第１実施形態では、積算部（積算部２３０）は、入力映像信号を走査列毎に積算して、各走査列に対応する積算値を算出する。算出部（係数算出部２４０）は、各走査列に対応する積算値に基づいて、各固体光源に対応する輝度向上係数を算出する。
【００８０】
これに対して、第３実施形態では、積算部は、入力映像信号を光変調素子（液晶パネル４０）全体で積算して、光変調素子全体に対応する積算値を算出する。算出部（係数算出部２４０）は、光変調素子全体に対応する積算値に基づいて、各固体光源に対応する輝度向上係数を算出する。
【００８１】
（固体光源が発する光の走査方法）
以下において、第３実施形態に係る固体光源１０が発する光の走査方法について、図面を参照しながら説明する。図９は、液晶パネル４０の光変調面（映像表示面）全体を単数の固体光源１０がスキャンする動作を示すイメージ図である。なお、液晶パネル４０は、第１実施形態と同様に、入力映像信号によって光量が制御される単位である画素が水平方向及び垂直方向に配列された構成を有する。
【００８２】
図９に示すように、単数の固体光源１０が発する光は、水平方向の列である走査列（走査列Ｌ１〜走査列Ｌｎ）に沿って走査される。ここで、単数の固体光源１０が発する光は、走査列Ｌ１〜走査列Ｌｎの順に走査される。また、走査列Ｌｎの走査が終了した場合には、走査列Ｌ１に戻って再び走査が開始される。
【００８３】
（制御ユニットの構成）
以下において、第３実施形態に係る投写型映像表示装置に設けられた制御ユニットの構成について、図面を参照しながら説明する。図１０は、第３実施形態に係る制御ユニット１５０の構成を示すブロック図である。図１０では、図４と同様の構成について同様の符号を付していることに留意すべきである。
【００８４】
図１０に示すように、制御ユニット１５０は、積算部２３０に代えて積算部２３０ａを有しており、係数算出部２４０に代えて係数算出部２４０ａを有している。
【００８５】
積算部２３０ａは、入力映像信号を液晶パネル４０全体で積算して、液晶パネル４０全体に対応する積算値を算出する。具体的には、積算部２３０ａは、逆γ補正処理が施された赤入力信号Ｒ１（１フレーム）を積算して、液晶パネル４０Ｒ全体に対応する積算値ＡＲを算出する。積算部２３０ａは、逆γ補正処理が施された緑入力信号Ｇ１（１フレーム）を積算して、液晶パネル４０Ｇ全体に対応する積算値ＡＧを算出する。積算部２３０ａは、逆γ補正処理が施された青入力信号Ｂ１（１フレーム）を積算して、液晶パネル４０Ｂ全体に対応する積算値ＡＢを算出する。
【００８６】
係数算出部２４０ａは、液晶パネル４０全体（１フレーム）に対応する積算値に基づいて、固体光源１０に対応する輝度向上係数（輝度向上係数ＣＲ、輝度向上係数ＣＧ及び輝度向上係数ＣＢ）を算出する。具体的には、係数算出部２４０ａは、所定の観測期間においてパワー制御部２５０によって制御された固体光源１０の出力の積算値が固体光源１０の出力最大値の積算値を超えない範囲で、輝度向上係数を算出する。
【００８７】
なお、第１実施形態と同様に、液晶パネル４０全体に対応する積算値（積算値ＡＲ、積算値ＡＧ及び積算値ＡＢ）が小さければ小さいほど、輝度向上係数（輝度向上係数ＣＲ、輝度向上係数ＣＧ及び輝度向上係数ＣＢ）を大きくすることが可能である。
【００８８】
［第４実施形態］
以下において、第４実施形態について図面を参照しながら説明する。以下においては、上述した第１実施形態と第４実施形態との相違点について主として説明する。
【００８９】
具体的には、上述した第１実施形態では、積算部（積算部２３０）は、入力映像信号を走査列毎に積算して、各走査列に対応する積算値を算出する。算出部（係数算出部２４０）は、各走査列に対応する積算値に基づいて、各固体光源に対応する輝度向上係数を算出する。
【００９０】
これに対して、第４実施形態では、積算部は、入力映像信号を複数のブロック毎に積算して、複数のブロックのそれぞれに対応する積算値を算出する。算出部（係数算出部２４０）は、複数のブロックのそれぞれに対応する積算値に基づいて、各固体光源に対応する輝度向上係数を算出する。なお、複数のブロックは、光変調素子（液晶パネル４０）の光変調面（映像表示面）を構成することに留意すべきである。
【００９１】
（固体光源が発する光の走査方法）
以下において、第４実施形態に係る固体光源１０が発する光の走査方法について、図面を参照しながら説明する。図１１は、液晶パネル４０の光変調面（映像表示面）全体を複数の固体光源１０がスキャンする動作を示すイメージ図である。なお、液晶パネル４０は、第１実施形態と同様に、入力映像信号によって光量が制御される単位である画素が水平方向及び垂直方向に配列された構成を有する。
【００９２】
図９に示すように、液晶パネル４０の光変調面（映像表示面）は、複数のブロック（ブロック（ｍ１，ｎ１）〜ブロック（ｍ３、ｎ３））によって構成される。各ブロックには、ブロック内を走査する光を発する固体光源１０が設けられている。各固体光源１０が発する光は、水平方向の列である走査列に沿って各ブロック内において走査される。
【００９３】
（制御ユニットの構成）
以下において、第４実施形態に係る投写型映像表示装置に設けられた制御ユニットの構成について、図面を参照しながら説明する。図１２は、第４実施形態に係る制御ユニット１５０の構成を示すブロック図である。図１２では、図４と同様の構成について同様の符号を付していることに留意すべきである。
【００９４】
図１２に示すように、制御ユニット１５０は、積算部２３０に代えて積算部２３０ｂを有しており、係数算出部２４０に代えて係数算出部２４０ｂを有している。
【００９５】
積算部２３０ｂは、入力映像信号を複数のブロック毎に積算して、各ブロックに対応する積算値を算出する。具体的には、積算部２３０ｂは、逆γ補正処理が施された赤入力信号Ｒ１を複数のブロック毎に積算して、液晶パネル４０Ｒに含まれる各ブロックに対応する積算値ＡＲを算出する。積算部２３０ｂは、逆γ補正処理が施された緑入力信号Ｇ１を複数のブロック毎に積算して、液晶パネル４０Ｇに含まれる各ブロックに対応する積算値ＡＧを算出する。積算部２３０ｂは、逆γ補正処理が施された青入力信号Ｂ１を複数のブロック毎に積算して、液晶パネル４０Ｂに含まれる各ブロックに対応する積算値ＡＢを算出する。
【００９６】
係数算出部２４０ｂは、各ブロックに対応する積算値に基づいて、固体光源１０に対応する輝度向上係数（輝度向上係数ＣＲ、輝度向上係数ＣＧ及び輝度向上係数ＣＢ）をブロック毎に算出する。具体的には、係数算出部２４０ａは、所定の観測期間においてパワー制御部２５０によって制御された固体光源１０の出力の積算値が固体光源１０の出力最大値の積算値を超えない範囲で、輝度向上係数を算出する。
【００９７】
なお、第１実施形態と同様に、液晶パネル４０全体に対応する積算値（積算値ＡＲ、積算値ＡＧ及び積算値ＡＢ）が小さければ小さいほど、輝度向上係数（輝度向上係数ＣＲ、輝度向上係数ＣＧ及び輝度向上係数ＣＢ）を大きくすることが可能である。
【００９８】
［第５実施形態］
以下において、第５実施形態について図面を参照しながら説明する。以下においては、上述した第４実施形態と第５実施形態との相違点について主として説明する。
【００９９】
具体的には、上述した第４実施形態では特に触れていないが、第５実施形態では、互いに隣接するブロックの境界において映像の輝度に段差が生じることが抑制される。
【０１００】
第５実施形態では、パワー制御部２５０は、複数の単位領域毎に固体光源１０の出力を制御可能に構成されている。すなわち、単位領域は、固体光源１０の出力を制御可能な最小単位である。なお、単位領域の面積は、ブロックの面積よりも小さいことを前提としている。単位領域は、例えば、画素である。
【０１０１】
算出部は、互いに隣接する単位領域間において、輝度向上係数の差分を減少させるように、ブロック毎に算出された輝度向上係数を補正する。これによって、複数のブロックの境界において、映像の輝度に段差が生じることが抑制される。
【０１０２】
（輝度向上係数の補正方法）
以下において、輝度向上係数の補正方法について、図面を参照しながら説明する。図１３は、第５実施形態に係る輝度向上係数の補正方法について説明するための図である。
【０１０３】
図１３に示すように、液晶パネル４０の光変調面（映像表示面）は、第４実施形態と同様に、複数のブロック（ブロック（ｍ１，ｎ１）〜ブロック（ｍ３、ｎ３））によって構成される。
【０１０４】
ここで、ブロック（ｍ１，ｎ１）とブロック（ｍ２，ｎ１）との間において、輝度向上係数を補正する方法について例示する。“Ａ”は、ブロック（ｍ１，ｎ１）の中心であり、“Ｂ”は、ブロック（ｍ２，ｎ１）の中心である。“Ｃ”は、ブロック（ｍ１，ｎ１）又はブロック（ｍ２，ｎ１）内における任意の単位領域（例えば、画素）である。“ａ”は、“Ａ”と“Ｃ”との距離であり、“ｂ”は、“Ｂ”と“Ｃ”との距離である。また、“Ｃ（ｍ１，ｎ１）”は、ブロック（ｍ１，ｎ１）に対応する積算値に基づいて算出された輝度向上係数である。“Ｃ（ｍ２，ｎ１）”は、ブロック（ｍ２，ｎ１）に対応する積算値に基づいて算出された輝度向上係数である。
【０１０５】
このような前提で、係数算出部２４０ｂは、“Ｃ”における輝度向上係数（“Ｃ（ｃ）”）を式（１）に従って算出する。
【０１０６】
Ｃ（ｃ）＝（Ｃ（ｍ１，ｎ１）×ｂ＋Ｃ（ｍ２，ｎ１）×ａ）／（ａ＋ｂ）・・・式（１）
このように、係数算出部２４０ｂは、互いに隣接するブロックの中心からの距離に応じて、ブロック内に含まれる任意の単位領域に対応する輝度向上係数を算出する。すなわち、係数算出部２４０ｂは、互いに隣接する単位領域間において、輝度向上係数の差分を減少させるように、ブロック毎に算出された輝度向上係数を補正する。
【０１０７】
なお、第５実施形態では、任意の単位領域に対応する輝度向上係数は、２つのブロックに対応する輝度向上係数に基づいて算出されるが、これに限定されるものではない。具体的には、任意の単位領域に対応する輝度向上係数は、３つ以上のブロックに対応する輝度向上係数に基づいて算出されてもよい。
【０１０８】
［第６実施形態］
以下において、第６実施形態について図面を参照しながら説明する。以下においては、上述した第１実施形態と第６実施形態との相違点について主として説明する。
【０１０９】
具体的には、上述した第１実施形態では特に触れていないが、第６実施形態では、互いに連続するフレーム間で映像の輝度に段差が生じることが抑制される。
【０１１０】
具体的には、第６実施形態では、算出部は、互いに連続するフレーム間において、輝度向上係数の差分を減少させるように輝度向上係数を補正する。
【０１１１】
（輝度向上係数の補正方法）
以下において、輝度向上係数の補正方法について、図面を参照しながら説明する。図１４は、第６実施形態に係る輝度向上係数の補正方法について説明するための図である。
【０１１２】
図１４に示すように、係数算出部２４０は、フレーム毎に輝度向上係数を算出する（「輝度向上係数」欄を参照）。続いて、係数算出部２４０は、互いに連続するフレーム間において、輝度向上係数の差分を減少させるように輝度向上係数を補正する。なお、輝度向上係数の補正値は、２フレームに対応する輝度向上係数の平均値などである（「２フレーム平均値」欄を参照）。
【０１１３】
ここで、フレームｎ−１に対応する輝度向上係数が“Ｃ（ｎ−１）”であり、フレームｎに対応する輝度向上係数が“Ｃ（ｎ）”である。
【０１１４】
このような前提で、係数算出部２４０は、フレームｎに対応する輝度向上係数の補正値“Ｃ（ｎ，ｒｅｖｉｓｅｄ）”を式（２）に従って算出する。
【０１１５】
Ｃ（ｎ，ｒｅｖｉｓｅｄ）＝（Ｃ（ｎ−１）＋Ｃ（ｎ））／２・・・式（２）
このように、係数算出部２４０ｂは、互いに連続するフレーム間において、輝度向上係数の差分を減少させるように、輝度向上係数の補正値を算出する。
【０１１６】
なお、第６実施形態では、輝度向上係数の補正値は、２つのフレームに対応する輝度向上係数に基づいて算出されるが、これに限定されるものではない。具体的には、輝度向上係数の補正値は、３つ以上のフレームに対応する輝度向上係数に基づいて算出されてもよい。
【０１１７】
第１実施形態に示したように、輝度向上係数が走査列毎に算出される場合には、輝度向上係数の補正値は、フレーム内における位置が同じ走査列を対象として算出される。
【０１１８】
第３実施形態に示したように、輝度向上係数がフレーム毎に算出される場合には、輝度向上係数の補正値は、フレーム単位で算出される。
【０１１９】
第４実施形態に示したように、輝度向上係数がブロック毎に算出される場合には、輝度向上係数の補正値は、フレーム内における位置が同じブロックを対象として算出される。
【０１２０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２１】
例えば、上述した実施形態では、走査列は、１つの画素列に対応するが、これに限定されるものではない。具体的には、走査列は、複数の画素列に対応してもよい。この場合に、走査列の積算値は、複数の画素列に対応する入力映像信号を積算した値である。
【０１２２】
上述した実施形態では、入力映像信号の積算値は走査列毎に算出されるが、これに限定されるものではない。具体的には、入力映像信号の積算値は、１フレームに対応する入力映像信号の全てを積算した値であってもよい。
【０１２３】
上述した実施形態では、輝度向上係数は、固体光源１０毎に算出されるが、これに限定されるものではない。具体的には、輝度向上係数は、各固体光源１０に共通する一の係数であってもよい。
【０１２４】
上述した実施形態では、複数の固体光源１０が、各固体光源１０に割り当てられた光変調素子の領域を走査するが、これに限定されるものではない。具体的には、ＣＲＴなどの走査と同様に、一の固体光源１０が光変調素子の全面を順に走査してもよい。
【０１２５】
上述した実施形態では、光変調素子の一例として液晶パネル４０を挙げたが、これに限定されるものではない。具体的には、光変調素子は、ＤＭＤ（Ｄｉｇｉｔａｌ  Ｍｉｃｒｏ−ｍｉｒｒｏｒ  Ｄｅｖｉｃｅ）やＬＣＯＳ（Ｌｉｑｕｉｄ  Ｃｒｙｓｔａｌ  ｏｎ  Ｓｉｌｉｃｏｎ）であってもよい。
【０１２６】
上述した実施形態では、図１５に示すように、固体光源１０が発するスポット光は、走査方向におけるスポット光のサイズと同じ分解能で走査される。従って、各時間（Ｔ１、Ｔ２、Ｔ３、Ｔ４）において、実出射光量（出力映像信号）は、必要照射光量（入力映像信号）と同じである。
【０１２７】
一方で、図１６に示すように、固体光源１０が発するスポット光は、走査方向におけるスポット光のサイズの半分の分解能で走査されてもよい。この場合には、各時間（Ｔ１、Ｔ’１、Ｔ２、Ｔ’２、Ｔ３、Ｔ’３、Ｔ４、Ｔ’４）において、必要照射光量に応じて算出される算出光量は、各時間における必要照射光量と一つ前の時間における算出光量との差分となる。従って、時間Ｔ３に示すように、算出光量が負の値をとる場合がある。これに応じて、算出光量が負の値となる場合には、実照射光量（出力映像信号）を“０”に変換する変換処理が行われる。
【０１２８】
さらに、時間ｎにおける実照射光量（出力映像信号）は、時間ｎにおける必要照射光量（入力映像信号）と時間ｎ−１における実照射光量（出力映像信号）との差分であることが好ましい。従って、時間Ｔ３において上述した変換処理が行われた場合には、時間Ｔ３’に示すように、実照射光量（出力映像信号）は、時間Ｔ３’における必要照射光量（入力映像信号）と時間Ｔ３における実照射光量（出力映像信号）との差分となる。
【０１２９】
上述した実施形態では特に触れていないが、第３実施形態及び第４実施形態は組み合わされてもよい。
【０１３０】
具体的には、液晶パネル４０全体（１フレーム）に対応する積算値に基づいて輝度向上係数が算出され、各固体光源１０が発する光がブロック毎に走査されてもよい。逆に、ブロックに対応する積算値に基づいて輝度向上係数がブロック毎に算出され、単数の固体光源１０が発する光が液晶パネル４０全体（１フレーム）を走査されてもよい。
【０１３１】
さらに、ブロック（ｍ，ｎ）に対応する輝度向上係数の補正値として、液晶パネル４０全体（１フレーム）に対応する積算値に基づいて算出された輝度向上係数と、ブロック（ｍ，ｎ）に対応する積算値に基づいて算出された輝度向上係数との平均値が用いられてもよい。
【０１３２】
上述した第１実施形態では特に触れていないが、走査列（Ｌ）に対応する輝度向上係数の補正値として、走査列（Ｌ）に対応する輝度向上係数と、走査列（Ｌ）に隣接する走査列に対応する輝度向上係数との平均値が用いられてもよい。
【０１３３】
上述した第５実施形態では特に触れていないが、ブロック（ｍ，ｎ）に対応する輝度向上係数の補正値として、ブロック（ｍ，ｎ）に対応する輝度向上係数と、ブロック（ｍ，ｎ）に隣接するブロックに対応する輝度向上係数との平均値が用いられてもよい。
【図面の簡単な説明】
【０１３４】
【図１】第１実施形態に係る投写型映像表示装置１００の概略を示す図である。
【図２】第１実施形態に係る照明ユニット１２０の概略構成を示す図である。
【図３】第１実施形態に係る固体光源１０が発する光の走査方法を示す図である。
【図４】第１実施形態に係る制御ユニット１５０の構成を示すブロック図である。
【図５】第１実施形態に係るγ補正処理にほける補正量の一例を示す図である。
【図６】第１実施形態に係る固体光源１０の出力制御の一例を示す図である。
【図７】第１実施形態に係る投写型映像表示装置１００の動作を示すフロー図である。
【図８】第２実施形態に係る固体光源１０の出力制御の一例を示す図である。
【図９】第３実施形態に係る固体光源１０が発する光の走査方法を示す図である。
【図１０】第３実施形態に係る制御ユニット１５０の構成を示すブロック図である。
【図１１】第３実施形態に係る固体光源１０が発する光の走査方法を示す図である。
【図１２】第３実施形態に係る制御ユニット１５０の構成を示すブロック図である。
【図１３】第５実施形態に係る輝度向上係数の補正方法について説明するための図である。
【図１４】第６実施形態に係る輝度向上係数の補正方法について説明するための図である。
【図１５】固体光源１０が発するスポット光の走査分解能の一例を示す図である。
【図１６】固体光源１０が発するスポット光の走査分解能の一例を示す図である。
【符号の説明】
【０１３５】
１０・・・固体光源、２１〜２６・・・ミラー、３１〜３６・・・レンズ、４０・・・液晶パネル、５０・・・クロスダイクロイックキューブ、１００・・・投写型映像表示装置、１１０・・・投写レンズユニット、１２０・・・照明ユニット、１５０・・・制御ユニット、２００・・・スクリーン、２１０・・・信号受付部、２２０・・・逆γ補正部、２３０・・・積算部、２４０・・・係数算出部、２５０・・・パワー制御部、２６０・・・γ補正部
【図１】
2008116914.tif 000003
【図２】
2008116914.tif 000004
【図３】
2008116914.tif 000005
【図４】
2008116914.tif 000006
【図５】
2008116914.tif 000007
【図６】
2008116914.tif 000008
【図７】
2008116914.tif 000009
【図８】
2008116914.tif 000010
【図９】
2008116914.tif 000011
【図１０】
2008116914.tif 000012
【図１１】
2008116914.tif 000013
【図１２】
2008116914.tif 000014
【図１３】
2008116914.tif 000015
【図１４】
2008116914.tif 000016
【図１５】
2008116914.tif 000017
【図１６】
2008116914.tif 000018